(57)【要約】【課題】  電磁開閉装置の開発及び製作コストを下げること。【解決手段】  電磁接触器の内部回路を機械ラッチ式の１種類から成る構成とし、外部回路を投入遮断用補助リレー５２Ｚの常開接点形と常閉接点形を利用して、内部回路における開閉器を投入状態とする投入コイル５２Ｃと、開閉器を遮断状態とする引き外しコイル５２Ｈとを動作させる常時励磁式の構成とする。これによって１種類の電磁開閉装置で２種類の運転方式に対応するようにした。【選択図】      図１
2006318705.tif 000002
【特許請求の範囲】
【請求項１】
内部回路に機械的に投入状態を保持する開閉器を有し、当該開閉器を、内部回路の投入コイルにより投入状態とし、内部回路の引き外しコイルにより遮断状態とする投入遮断制御を行う電磁開閉装置の操作回路において、
無停電直流電源からの制御電圧が供給される端子間に、前記開閉器を投入状態とするスイッチのオン操作時に励磁状態となり、前記開閉器を遮断状態とするスイッチのオフ操作時に励磁状態が解除される投入遮断用リレー回路を接続し、
同端子間に、前記投入遮断用リレー回路の励磁状態を受けて前記投入コイルを励磁させ、この励磁にて前記開閉器が投入状態となった後、前記投入コイルの励磁を解除する第１の補助スイッチ回路を介して前記投入コイルを接続し、
同端子間に、前記投入遮断用リレー回路の励磁解除時に前記引き外しコイルを励磁させ、この励磁にて前記開閉器が遮断状態となった後、前記引き外しコイルの励磁を解除する第２の補助スイッチ回路を介して前記引き外しコイルを接続して成る
ことを特徴とする電磁開閉装置の操作回路。
【請求項２】
前記開閉器の投入状態を受けて励磁状態となるリレーを有し、このリレーの励磁状態を受けて前記投入コイルの励磁を解除し、前記開閉器の遮断状態を受けてそのリレーの励磁状態を解除する第３の補助スイッチ回路を、前記第１の補助スイッチ回路と組み合わせて前記端子間に接続した
ことを特徴とする請求項１に記載の電磁開閉装置の操作回路。
【請求項３】
前記開閉器の投入状態を受けて励磁状態となるリレーを有し、このリレーの励磁状態を受けて前記投入コイルの励磁を解除し、前記開閉器の遮断状態を受けてそのリレーの励磁状態を解除する第４の補助スイッチ回路を開閉器の外部回路に配設し、この配設された第４の補助スイッチ回路を前記第１及び第３の補助スイッチ回路と組み合わせて前記端子間に接続した
ことを特徴とする請求項２に記載の電磁開閉装置の操作回路。
【請求項４】
内部回路に機械的に投入状態を保持する開閉器を有し、当該開閉器を、内部回路の投入コイルにより投入状態とし、内部回路の引き外しコイルにより遮断状態とする投入遮断制御を行う電磁開閉装置の操作回路において、
交流電圧が供給される交流端子間に、前記開閉器を投入状態とするスイッチのオン操作時に励磁状態となり、前記開閉器を遮断状態とするスイッチのオフ操作時に励磁状態が解除される投入遮断用リレー回路を接続し、
前記交流端子間に接続された整流器にて変換された直流電圧が供給される直流端子間に、前記投入遮断用リレー回路の励磁状態を受けて前記投入コイルを励磁させ、この励磁にて前記開閉器が投入状態となった後、前記投入コイルの励磁を解除する第１の補助スイッチ回路を介して前記投入コイルを接続し、
前記整流器と前記直流端子との間に、当該整流器にて変換された直流電圧を蓄電する蓄電器を接続し、
前記直流端子間に、前記投入遮断用リレー回路の励磁解除時に前記引き外しコイルを励磁させ、この励磁にて前記開閉器が遮断状態となった後、前記引き外しコイルの励磁を解除する第２の補助スイッチ回路を介して前記引き外しコイルを接続して成る
ことを特徴とする電磁開閉装置の操作回路。
【請求項５】
前記開閉器の投入状態を受けて励磁状態となるリレーを有し、このリレーの励磁状態を受けて前記投入コイルの励磁を解除し、前記開閉器の遮断状態を受けてそのリレーの励磁状態を解除する第３の補助スイッチ回路を、前記第１の補助スイッチ回路と組み合わせて前記端子間に接続した
ことを特徴とする請求項４に記載の電磁開閉装置の操作回路。
【請求項６】
前記開閉器の投入状態を受けて励磁状態となるリレーを有し、このリレーの励磁状態を受けて前記投入コイルの励磁を解除し、前記開閉器の遮断状態を受けてそのリレーの励磁状態を解除する第４の補助スイッチ回路を開閉器の外部回路に配設し、この配設された第４の補助スイッチ回路を前記第１及び第３の補助スイッチ回路と組み合わせて前記端子間に接続した
ことを特徴とする請求項５に記載の電磁開閉装置の操作回路。
【発明の詳細な説明】
【技術分野】
【０００１】
本発明は、電気機器及びその制御盤、配電盤などに適用される電磁接触器等の電磁開閉装置の操作回路に関する。
【背景技術】
【０００２】
図７は、従来の電磁接触器の常時励磁式操作回路の一例を示す回路図である。但し、図中の一点鎖線枠内は電磁接触器の本体内部の内部回路であり、それ以外は電磁接触器の外部に構成される外部回路となる。他の図においても同様である。
常時励磁式操作回路は、電気的に投入状態を保持する回路であり、商用交流電源端子Ｒ，Ｔに間に、通常スイッチ開状態となっている常開接点形の始動用押釦スイッチ５ａ１と、通常スイッチ閉状態となっている常閉接点形の停止用押釦スイッチ５ｂ１と、投入用補助リレーＭＣＸ１との３つが直列に接続され、始動用押釦スイッチ５ａ１に並列に投入用補助リレーＭＣＸ１の常開接点ＭＣＸ１ａ３が接続され、更に、電磁接触器内の整流装置ＳＩ１にて交流電源から変換された直流電源が供給される制御電源端子Ｐ，Ｎの間に、投入用補助リレーＭＣＸ１の常開接点ＭＣＸ１ａ１及びＭＣＸ１ａ２と、投入用コイルＭＣＣ１と、常開限時動作接点形の補助スイッチＭＣｂ１との４つが直列に接続され、また、投入用コイルＭＣＣ１と並列に保持用コイルＭＣＨが接続されて構成されている。
【０００３】
このような構成において、電磁接触器投入時は、始動用押釦スイッチ５ａ１の押圧を条件に投入用補助リレーＭＣＸ１が動作し、この動作によって常開接点ＭＣＸ１ａ３が閉状態となって自己保持する。
同時に、投入用補助リレーＭＣＸ１の動作によって常開接点ＭＣＸ１ａ１及びＭＣＸ１ａ２が閉動作し、投入用コイルＭＣＣ１及び保持用コイルＭＣＨが励磁されて動作する。これによって電磁接触器が始動した後は、補助スイッチＭＣｂ１が開状態に動作し、これによって投入用コイルＭＣＣ１が不動作となる。
また、電磁接触器停止時は、停止用押釦スイッチ５ｂ１の引圧を条件に投入用補助リレーＭＣＸ１が不動作となり、これによって常開接点ＭＣＸ１ａ１及びＭＣＸ１ａ２が開動作するので、動作中の保持用リレーＭＣＨが不動作となって電磁接触器が停止する。
【０００４】
図８は、従来の電磁接触器の機械ラッチ式操作回路の一例を示す回路図である。機械ラッチ式操作回路は、機械的に投入状態を保持する回路であり、商用交流電源端子Ｒ，Ｔの間に、常開接点形の始動用押釦スイッチ５ａ２と、常閉限時接点形の補助スイッチＭＣｂ２と、投入用補助リレーＭＣＸ２とが直列に接続され、始動用押釦スイッチ５ａ２に並列に投入用補助リレーＭＣＸ２の常開接点ＭＣＸ２ａ３が接続され、更に、電磁接触器内の整流装置ＳＩ２で交流電源から変換された直流電源が供給される制御電源端子Ｐ，Ｎの間に、投入用補助リレーＭＣＸ２の常開接点ＭＣＸ２ａ１及びＭＣＸ２ａ２と、投入用ＭＣＣ２との３つが直列に接続され、更に、常開接点形の停止用押釦スイッチ５ｂ２と、常開接点形の補助スイッチＭＣａ１と、引き外しコイルＭＣＴとの３つが直列に接続されて構成されている。
【０００５】
このような構成において、電磁接触器投入時は、始動用押釦スイッチ５ａ２の押圧を条件に投入用補助リレーＭＣＸ２が動作し、この動作によって常開接点ＭＣＸ２ａ３が閉状態となって自己保持する。
同時に、投入補助リレーＭＣＸ２の動作によって常開接点ＭＣＸ２ａ１及びＭＣＸ２ａ２が閉動作し、これによって投入用コイルＭＣＣ２が励磁されて動作する。
【０００６】
また、電磁接触器停止時は、停止用押釦スイッチ５ｂ２の押圧を条件に、補助スイッチＭＣａ１を介して引き外しコイルＭＣＴに制御電源が供給されて引き外し動作を行い、これによって電磁接触器本体が停止する。
この種の従来の電磁接触器の操作回路として、例えば特許文献１，２，３，４に記載のものがある。
【特許文献１】特開平６−１１９８６１号公報
【特許文献２】特開平８−２２２０８８号公報
【特許文献３】特開平１０−２７５５４９号公報
【特許文献４】特開平１１−４５３２号公報
【発明の開示】
【発明が解決しようとする課題】
【０００７】
しかし、従来の開閉器である電磁接触器の操作回路においては、常時励磁式が電気的に投入状態を保持するのに対して、機械ラッチ式は機械的に投入状態を保持するので、各運転方式の適用に応じて電磁接触器の内部回路の構成が異なる。このため、電磁接触器の外部回路でも運転方式が常時励磁式と機械ラッチ式とでは異なる。
このため、電磁接触器の開発及び製作に当たっては、内部回路及び外部回路共に、常時励磁式と機械ラッチ式との２種類の構造を開発及び製作しなければならないので、電磁接触器の開発及び製作コストが高くなるという問題がある。
本発明は、このような課題に鑑みてなされたものであり、電磁開閉装置の開発及び製作コストを下げることができる電磁開閉装置の操作回路を提供することを目的としている。
【課題を解決するための手段】
【０００８】
上記目的を達成するために、本発明の請求項１による電磁開閉装置の操作回路は、内部回路に機械的に投入状態を保持する開閉器を有し、当該開閉器を、内部回路の投入コイルにより投入状態とし、内部回路の引き外しコイルにより遮断状態とする投入遮断制御を行う電磁開閉装置の操作回路において、無停電直流電源からの制御電圧が供給される端子間に、前記開閉器を投入状態とするスイッチのオン操作時に励磁状態となり、前記開閉器を遮断状態とするスイッチのオフ操作時に励磁状態が解除される投入遮断用リレー回路を接続し、同端子間に、前記投入遮断用リレー回路の励磁状態を受けて前記投入コイルを励磁させ、この励磁にて前記開閉器が投入状態となった後、前記投入コイルの励磁を解除する第１の補助スイッチ回路を介して前記投入コイルを接続し、同端子間に、前記投入遮断用リレー回路の励磁解除時に前記引き外しコイルを励磁させ、この励磁にて前記開閉器が遮断状態となった後、前記引き外しコイルの励磁を解除する第２の補助スイッチ回路を介して前記引き外しコイルを接続して成ることを特徴とする。
【０００９】
この構成によれば、電磁開閉装置本体の構成が機械ラッチ式で、運転方式が電気的に投入状態を保持する常時励磁式の電磁開閉装置となるので、１種類の電磁開閉装置で２種類の運転方式に対応することが可能となる。従って、従来のように電磁開閉装置の内部回路及び外部回路共に、常時励磁式と機械ラッチ式との２種類の構成を開発及び製作しなければならないことと比較すると、その開発及び製作コストを大幅に下げることができる。
【００１０】
また、本発明の請求項２による電磁開閉装置の操作回路は、請求項１において、前記開閉器の投入状態を受けて励磁状態となるリレーを有し、このリレーの励磁状態を受けて前記投入コイルの励磁を解除し、前記開閉器の遮断状態を受けてそのリレーの励磁状態を解除する第３の補助スイッチ回路を、前記第１の補助スイッチ回路と組み合わせて前記端子間に接続したことを特徴とする。
この構成によれば、上記請求項１の操作回路に、更に投入コイルの励磁を解除する第３の補助スイッチ回路を設けることによって、その励磁を２重に解除するようにしたので、投入コイルの励磁を確実に解除することができる。
【００１１】
また、本発明の請求項３による電磁開閉装置の操作回路は、請求項２において、前記開閉器の投入状態を受けて励磁状態となるリレーを有し、このリレーの励磁状態を受けて前記投入コイルの励磁を解除し、前記開閉器の遮断状態を受けてそのリレーの励磁状態を解除する第４の補助スイッチ回路を開閉器の外部回路に配設し、この配設された第４の補助スイッチ回路を前記第１及び第３の補助スイッチ回路と組み合わせて前記端子間に接続したことを特徴とする。
この構成によれば、上記請求項２の操作回路に、更に投入コイルの励磁を解除する第４の補助スイッチ回路を外部回路に設けることによって、その励磁を３重に解除するようにしたので、投入コイルの励磁を、より確実に解除することができる。
【００１２】
また、本発明の請求項４による電磁開閉装置の操作回路は、内部回路に機械的に投入状態を保持する開閉器を有し、当該開閉器を、内部回路の投入コイルにより投入状態とし、内部回路の引き外しコイルにより遮断状態とする投入遮断制御を行う電磁開閉装置の操作回路において、交流電圧が供給される交流端子間に、前記開閉器を投入状態とするスイッチのオン操作時に励磁状態となり、前記開閉器を遮断状態とするスイッチのオフ操作時に励磁状態が解除される投入遮断用リレー回路を接続し、前記交流端子間に接続された整流器にて変換された直流電圧が供給される直流端子間に、前記投入遮断用リレー回路の励磁状態を受けて前記投入コイルを励磁させ、この励磁にて前記開閉器が投入状態となった後、前記投入コイルの励磁を解除する第１の補助スイッチ回路を介して前記投入コイルを接続し、前記整流器と前記直流端子との間に、当該整流器にて変換された直流電圧を蓄電する蓄電器を接続し、前記直流端子間に、前記投入遮断用リレー回路の励磁解除時に前記引き外しコイルを励磁させ、この励磁にて前記開閉器が遮断状態となった後、前記引き外しコイルの励磁を解除する第２の補助スイッチ回路を介して前記引き外しコイルを接続して成ることを特徴とする。
【００１３】
この構成によれば、制御電源が交流電源の場合に、停電等の原因で交流電源が遮断されても蓄電器に蓄電された電圧によって開閉器を遮断させることができる。つまり、従来技術であれば、開閉器が投入状態で停電した場合、開閉器がその投入状態のままとなっており、停電復旧時にそのまま開閉器を介して電磁接触器に接続された電気機器に電源が供給され、機器が不要に動作して危険を招いたり、破損に至ったりする不具合があった。しかし、本発明では、停電時でも上記のように開閉器を遮断することができるので、先の不具合を解消することができる。
【００１４】
また、本発明の請求項５による電磁開閉装置の操作回路は、請求項４において、前記開閉器の投入状態を受けて励磁状態となるリレーを有し、このリレーの励磁状態を受けて前記投入コイルの励磁を解除し、前記開閉器の遮断状態を受けてそのリレーの励磁状態を解除する第３の補助スイッチ回路を、前記第１の補助スイッチ回路と組み合わせて前記端子間に接続したことを特徴とする。
この構成によれば、制御電源が交流電源の場合に、停電等の原因で交流電源が遮断されても蓄電器に蓄電された電圧によって開閉器を遮断させることができ、更に、投入コイルの励磁を２重の解除動作によって確実に解除することができる。
【００１５】
また、本発明の請求項６による電磁開閉装置の操作回路は、請求項５において、前記開閉器の投入状態を受けて励磁状態となるリレーを有し、このリレーの励磁状態を受けて前記投入コイルの励磁を解除し、前記開閉器の遮断状態を受けてそのリレーの励磁状態を解除する第４の補助スイッチ回路を開閉器の外部回路に配設し、この配設された第４の補助スイッチ回路を前記第１及び第３の補助スイッチ回路と組み合わせて前記端子間に接続したことを特徴とする。
この構成によれば、制御電源が交流電源の場合に、停電等の原因で交流電源が遮断されても蓄電器に蓄電された電圧によって開閉器を遮断させることができ、更に、投入コイルの励磁を３重の解除動作によって確実に解除することができる。
【発明の効果】
【００１６】
以上説明したように本発明によれば、電磁開閉装置の開発及び製作コストを下げることができるという効果がある。
また、投入コイルの励磁を２重に解除するようにしたので、例えば一方の解除動作によって投入コイルの励磁解除を行わない場合でも、他方の解除動作でその励磁解除を行うことができ、これによって投入コイルの励磁を確実に解除することができるという効果がある。
これに加え、投入コイルの励磁を外部回路にて解除することによって、その励磁を３重に解除するようにしたので、内部回路での２つの解除動作によって投入コイルの励磁が解除されない場合でも、外部回路にてその励磁を確実に解除することができるという効果がある。
【００１７】
また、制御電源が交流電源の場合に、停電等の原因で交流電源が遮断されても蓄電器に蓄電された電圧によって開閉器を遮断させることができるという効果がある。これによって、従来技術であれば、開閉器が投入状態で停電した場合、開閉器がその投入状態のままとなっており、停電復旧時にそのまま開閉器を介して電磁接触器に接続された電気機器に電源が供給され、機器が不要に動作して危険を招いたり、破損に至ったりする不具合があった。しかし、本発明では、停電時でも上記のように開閉器を遮断することができるので、先の不具合を解消することができるという効果がある。
【発明を実施するための最良の形態】
【００１８】
以下、本発明の実施の形態を、図面を参照して説明する。但し、本明細書中の全図において相互に対応する部分には同一符号を付し、重複部分においては後述での説明を適時省略する。
（第１の実施の形態）
図１は、本発明の第１の実施の形態に係る電磁接触器の操作回路の構成を示す図である。但し、図中の一点鎖線枠内は電磁接触器の本体内部の内部回路であり、それ以外は外部回路となる。他の図においても同様である。
【００１９】
第１の実施の形態の電磁接触器の操作回路の特徴は、電磁接触器の内部回路を機械ラッチ式の１種類から成る構成とし、外部回路を投入用リレーの常開接点形と常閉接点形を利用して、内部回路における開閉器を閉状態（投入状態）とする投入コイルと、開閉器を開状態（遮断状態）とする引き外しコイルとを動作させる常時励磁式の構成としたことにある。但し、開閉器は、電磁石の電磁力により投入状態又は投入状態から遮断状態となるものであり、その投入及び遮断制御を操作回路で行うようになっている。
【００２０】
図１に示すように、本電磁接触器の操作回路は、無停電直流電源（図示せず）の制御電源端子Ｐ，Ｎ間に、常開接点の始動用押釦スイッチ５ａと、常閉接点の停止用押釦スイッチ５ｂと、制御電圧の印加により動作する投入遮断用補助リレー５２Ｚとを直列に接続し、始動用押釦スイッチ５ａに投入遮断用補助リレー５２Ｚの補助ａ接点５２Ｚａ１を並列に接続し、更に、投入遮断用補助リレー５２Ｚの常開接点５２Ｚａ２と、開閉器補助ｂ接点ＬＳと、開閉器常閉接点５２ｂ１と、開閉器投入コイル５２Ｃと、開閉器常閉接点５２ｂ２とを直列に接続し、更に、投入遮断用補助リレー５２Ｚの補助ｂ接点５２Ｚｂ１と、開閉器常開接点５２ａ１と、開閉器の引き外しコイル５２Ｈとを直列に接続して構成されている。
【００２１】
なお、始動用押釦スイッチ５ａと、常閉接点の停止用押釦スイッチ５ｂと、投入遮断用補助リレー５２Ｚと、補助ａ接点５２Ｚａ１とで投入遮断用リレー回路が構成されている。
また、常開接点５２Ｚａ２と、開閉器補助ｂ接点ＬＳと、開閉器常閉接点５２ｂ１と、開閉器投入コイル５２Ｃと、開閉器常閉接点５２ｂ２とで第１の補助スイッチ回路が構成されている。
更に、補助ｂ接点５２Ｚｂ１と、開閉器常開接点５２ａ１と、引き外しコイル５２Ｈとで第２の補助スイッチ回路が構成されている。
【００２２】
このような構成の第１の実施の形態による電磁接触器の操作回路の動作を説明する。
まず、電磁接触器投入時は、制御電源端子Ｐ，Ｎに制御電圧を供給した後、外部回路の始動用押釦スイッチ５ａを押圧すると、投入遮断用補助リレー５２Ｚが励磁動作し、この動作によって補助ａ接点５２Ｚａ１が閉状態となって自己保持する。
同時に、補助ａ接点５２Ｚａ２も閉状態となって自己保持するので、開閉器補助ｂ接点ＬＳ、開閉器補助ｂ接点５２ｂ１，５２ｂ２を介して制御電圧が投入コイル５２Ｃに印加され、これによって投入コイル５２Ｃが励磁され、この励磁動作によって開閉器が投入状態となる。つまり、内部回路において機械的に投入状態が保持される。
【００２３】
このように開閉器が投入状態となった直後、開閉器補助ｂ接点５２ｂ１，５２ｂ２が開状態となって投入コイル５２Ｃの励磁が解除される。この解除がなされても開閉器の投入状態は保持されたままである。
また、投入遮断用補助リレー５２Ｚが励磁状態になっているので補助ｂ接点５２Ｚｂ１が開状態となり、開閉器が投入状態になっているので開閉器補助ａ接点５２ａ１が閉状態となっている。
【００２４】
次に、電磁接触器遮断時は、停止用押釦スイッチ５ｂを引圧すると、自己保持されている投入遮断用補助リレー５２Ｚの励磁が解除され、この解除によって補助ｂ接点５２Ｚｂ１が閉状態となる。これによって、開閉器補助ａ接点５２ａ１を介して引き外しコイル５２Ｈに制御電圧が印加されるので、引き外しコイル５２Ｈが励磁され、この励磁動作によって投入状態の開閉器が遮断状態となる。
この遮断状態によって開閉器補助ａ接点５２ａ１が開状態となり、引き外しコイル５２Ｈの励磁が解除される。
【００２５】
このように第１の実施の形態の電磁接触器の操作回路は、電磁接触器の内部回路を機械ラッチ式の１種類から成る構成とし、外部回路を投入遮断用補助リレー５２Ｚの常開接点形と常閉接点形を利用して、内部回路における開閉器を投入状態とする投入コイル５２Ｃと、開閉器を遮断状態とする引き外しコイル５２Ｈとを動作させる常時励磁式の構成とした。
【００２６】
これによって、電磁接触器本体の構成が機械ラッチ式で、運転方式が常時励磁式の電磁接触器となるので、１種類の電磁接触器で２種類の運転方式に対応することが可能となる。従って、従来のように電磁接触器の内部回路及び外部回路共に、常時励磁式と機械ラッチ式との２種類の構成を開発及び製作しなければならないことと比較すると、その開発及び製作コストを大幅に下げることができる。
【００２７】
（第２の実施の形態）
図２は、本発明の第２の実施の形態に係る電磁接触器の操作回路の構成を示す図である。
図２に示す電磁接触器の操作回路が図１に示した操作回路と異なる点は、投入コイル５２Ｃを励磁及びこの励磁を解除する回路に、更に投入コイル５２Ｃの励磁を解除する回路を接続することによって、その励磁を２重に解除するようにしたことにある。
【００２８】
このために、図２に示すように、図１の操作回路に、互いに直列接続した開閉器補助ａ接点５２ａ２及び投入コイル引き外し用リレー５２Ｙを、補助ａ接点５２Ｚａ２と開閉器補助ｂ接点ＬＳ間と、制御電源端子Ｎとの間に接続し、更に、開閉器補助ｂ接点ＬＳと開閉器補助ｂ接点５２ｂ１との間に、投入コイル引き外し用リレー５２Ｙの補助ｂ接点５２Ｙｂ１を接続して操作回路を構成した。
なお、開閉器補助ａ接点５２ａ２と、投入コイル引き外し用リレー５２Ｙと、補助ｂ接点５２Ｙｂ１とで第３の補助スイッチ回路が構成されている。また、開閉器補助ａ接点５２ａ２が故障した場合の安全性向上のために補助ａ接点５２Ｙａ１を、開閉器補助ａ接点５２ａ２に対して並列に接続した。
【００２９】
このような構成の第２の実施の形態による電磁接触器の操作回路の動作を説明する。
まず、電磁接触器投入時は、制御電源端子Ｐ，Ｎに制御電圧を供給した後、始動用押釦スイッチ５ａを押圧すると、投入遮断用補助リレー５２Ｚが励磁動作し、この動作によって補助ａ接点５２Ｚａ１が閉状態となって自己保持する。
同時に、補助ａ接点５２Ｚａ２も閉状態となって自己保持するので、開閉器補助ｂ接点ＬＳ、補助ｂ接点５２Ｙｂ１、開閉器補助ｂ接点５２ｂ１，５２ｂ２を介して制御電圧が投入コイル５２Ｃに印加され、これによって投入コイル５２Ｃが励磁され、この励磁動作によって開閉器が投入状態となる。
【００３０】
このように開閉器が投入状態となった直後、開閉器補助ｂ接点５２ｂ１，５２ｂ２が開状態となると共に、開閉器補助ａ接点５２ａ２が閉状態となり、この閉状態によって投入コイル引き外し用リレー５２Ｙに制御電圧が印加されて当該リレー５２Ｙが励磁される。この励磁によって補助ｂ接点５２Ｙｂ１が開状態となる。つまり、開閉器が投入状態となった直後、開閉器補助ｂ接点５２ｂ１，５２ｂ２及び補助ｂ接点５２Ｙｂ１が開状態となるので、投入コイル５２Ｃの励磁が解除される。この解除がなされても開閉器の投入状態は保持されたままである。
【００３１】
また、投入遮断用補助リレー５２Ｚが励磁状態になっているので補助ｂ接点５２Ｚｂ１が開状態となり、開閉器が投入状態になっているので開閉器補助ａ接点５２ａ１，５２ａ２が閉状態となっている。
次に、電磁接触器遮断時は、停止用押釦スイッチ５ｂを引圧すると、自己保持されている投入遮断用補助リレー５２Ｚの励磁が解除され、この解除によって補助ｂ接点５２Ｚｂ１が閉状態となる。これによって、開閉器補助ａ接点５２ａ１を介して引き外しコイル５２Ｈに制御電圧が印加されるので、引き外しコイル５２Ｈが励磁され、この励磁動作によって投入状態の開閉器が遮断状態となる。
この遮断状態によって開閉器補助ａ接点５２ａ１，５２ａ２が開状態となり、引き外しコイル５２Ｈ及び投入コイル引き外し用リレー５２Ｙの励磁が解除される。
【００３２】
このように第２の実施の形態の電磁接触器の操作回路は、上記第１の実施の形態の操作回路に、更に投入コイル５２Ｃの励磁を解除する回路を設けることによって、その励磁を２重に解除するようにしたことにある。これによって、例えば開閉器補助ｂ接点５２ｂ１，５２ｂ２が動作不良などの原因によって開状態とならない場合でも、補助ｂ接点５２Ｙｂ１が開状態となるので、投入コイル５２Ｃの励磁を確実に解除することができる。言い換えれば、投入コイル５２Ｃの励磁を解除する動作の信頼性を向上させることができる。また、上記第１の実施の形態と同様の効果を得ることもできる。
【００３３】
（第３の実施の形態）
図３は、本発明の第３の実施の形態に係る電磁接触器の操作回路の構成を示す図である。
図３に示す電磁接触器の操作回路が図２に示した操作回路と異なる点は、投入コイル５２Ｃの励磁を解除する回路を更に外部回路に設けることによって、その励磁を３重に解除するようにしたことにある。
即ち、外部回路において、制御電源端子Ｐ，Ｎ間に開閉器補助ａ接点５２ａ３と投入コイル引き外し用リレー５２Ｘを直列に接続し、また、補助ａ接点５２Ｚａ２と、開閉器補助ａ接点５２ａ２及び開閉器補助ｂ接点ＬＳの接続点との間に、投入コイル引き外し用リレー５２Ｘの補助ｂ接点５２Ｘｂ１を接続して操作回路を構成した。
なお、開閉器補助ａ接点５２ａ３と、投入コイル引き外し用リレー５２Ｘとで第４の補助スイッチ回路が構成されている。
【００３４】
このような構成の第３の実施の形態による電磁接触器の操作回路の動作を説明する。
まず、電磁接触器投入時は、制御電源端子Ｐ，Ｎに制御電圧を供給した後、始動用押釦スイッチ５ａを押圧すると、投入遮断用補助リレー５２Ｚが励磁動作し、この動作によって補助ａ接点５２Ｚａ１が閉状態となって自己保持する。
同時に、補助ａ接点５２Ｚａ２も閉状態となって自己保持するので、補助ｂ接点５２Ｘｂ１、開閉器補助ｂ接点ＬＳ、補助ｂ接点５２Ｙｂ１、開閉器補助ｂ接点５２ｂ１，５２ｂ２を介して制御電圧が投入コイル５２Ｃに印加され、これによって投入コイル５２Ｃが励磁され、この励磁動作によって開閉器が投入状態となる。
【００３５】
このように開閉器が投入状態となった直後、開閉器補助ｂ接点５２ｂ１，５２ｂ２が開状態となると共に、開閉器補助ａ接点５２ａ２が閉状態となり、この閉状態によって投入コイル引き外し用リレー５２Ｙに制御電圧が印加されて当該リレー５２Ｙが励磁される。この励磁によって補助ｂ接点５２Ｙｂ１が開状態となる。
これと同時に、開閉器補助ａ接点５２ａ３が閉状態となり、この閉状態によって投入コイル引き外し用リレー５２Ｘに制御電圧が印加されて当該リレー５２Ｘが励磁される。この励磁によって補助ｂ接点５２Ｘｂ１が開状態となる。
【００３６】
つまり、開閉器が投入状態となった直後、開閉器補助ｂ接点５２ｂ１，５２ｂ２と、補助ｂ接点５２Ｙｂ１と、補助ｂ接点５２Ｘｂ１とが開状態となるので、投入コイル５２Ｃの励磁が解除される。この解除がなされても開閉器の投入状態は保持されたままである。
また、投入遮断用補助リレー５２Ｚが励磁状態になっているので補助ｂ接点５２Ｚｂ１が開状態となり、開閉器が投入状態になっているので開閉器補助ａ接点５２ａ１，５２ａ２，５２ａ３が閉状態となっている。
【００３７】
次に、電磁接触器遮断時は、停止用押釦スイッチ５ｂを引圧すると、自己保持されている投入遮断用補助リレー５２Ｚの励磁が解除され、この解除によって補助ｂ接点５２Ｚｂ１が閉状態となる。これによって、開閉器補助ａ接点５２ａ１を介して引き外しコイル５２Ｈに制御電圧が印加されるので、引き外しコイル５２Ｈが励磁され、この励磁動作によって投入状態の開閉器が遮断状態となる。
この遮断状態によって開閉器補助ａ接点５２ａ１，５２ａ２，５２ａ３が開状態となり、引き外しコイル５２Ｈ、投入コイル引き外し用リレー５２Ｙ及び５２Ｘの励磁が解除される。
【００３８】
このように第３の実施の形態の電磁接触器の操作回路は、上記第２の実施の形態の操作回路に、更に外部回路に投入コイル５２Ｃの励磁を解除する回路を設けることによって、その励磁を３重に解除するようにしたことにある。これによって、例えば内部回路における投入コイル５２Ｃの励磁解除用の回路が、動作不良などの原因によって開状態とならない場合でも、外部回路における補助ｂ接点５２Ｘｂ１が開状態となるので、投入コイル５２Ｃの励磁を確実に解除することができる。言い換えれば、投入コイル５２Ｃの励磁を解除する動作の信頼性をより向上させることができる。また、上記第１の実施の形態と同様の効果を得ることもできる。
【００３９】
（第４の実施の形態）
図４は、本発明の第４の実施の形態に係る電磁接触器の操作回路の構成を示す図である。
図４に示す電磁接触器の操作回路の特徴は、図１に示した操作回路において電磁接触器の制御電源が商用交流電源の場合に、停電等の原因で交流電源が遮断された際に蓄電器Ｃ１を利用して電磁接触器を遮断させるようにした点にある。
【００４０】
即ち、この電磁接触器の操作回路は、商用交流電源端子Ｒ，Ｔ間に、常開接点の始動用押釦スイッチ５ａと、常閉接点の停止用押釦スイッチ５ｂと、商用電圧の印加により動作する投入遮断用補助リレー５２Ｚとを直列に接続し、始動用押釦スイッチ５ａに投入遮断用補助リレー５２Ｚの補助ａ接点５２Ｚａ１を並列に接続する。更に、整流器Ｄ１にて交流電源から変換された直流電源が供給される制御電源端子Ｐ，Ｎの間に、投入遮断用補助リレー５２Ｚの常開接点５２Ｚａ２と、開閉器補助ｂ接点ＬＳと、開閉器常閉接点５２ｂ１と、開閉器投入コイル５２Ｃと、開閉器常閉接点５２ｂ２とを直列に接続する。更に、商用交流電源端子Ｒ，Ｔ間に整流器Ｄ２を接続し、この整流器Ｄ２にて変換された直流電圧を抵抗器を介してコンデンサに蓄電する蓄電器Ｃ１を備え、この蓄電器Ｃ１に蓄電された直流電源が供給される制御電源端子Ｐ，Ｎの間に、投入遮断用補助リレー５２Ｚの補助ｂ接点５２Ｚｂ１と、開閉器常開接点５２ａ１と、開閉器の引き外しコイル５２Ｈとを直列に接続して構成されている。
【００４１】
このような構成の第４の実施の形態による電磁接触器の操作回路の動作を説明する。
まず、電磁接触器投入時は、商用交流電源端子Ｒ，Ｔに交流電圧が供給されている状態で、外部回路の始動用押釦スイッチ５ａを押圧すると、投入遮断用補助リレー５２Ｚが励磁動作し、この動作によって補助ａ接点５２Ｚａ１が閉状態となって自己保持する。
同時に、整流器Ｄ１で変換された直流電圧が印加されている補助ａ接点５２Ｚａ２も閉状態となって自己保持するので、開閉器補助ｂ接点ＬＳ、開閉器補助ｂ接点５２ｂ１，５２ｂ２を介して制御電圧が投入コイル５２Ｃに印加され、これによって投入コイル５２Ｃが励磁され、この励磁動作によって開閉器が投入状態となる。つまり、内部回路において機械的に投入状態が保持される。
【００４２】
このように開閉器が投入状態となった直後、開閉器補助ｂ接点５２ｂ１，５２ｂ２が開状態となって投入コイル５２Ｃの励磁が解除される。この解除がなされても開閉器の投入状態は保持されたままである。
一方、商用交流電源端子Ｒ，Ｔに交流電圧が供給されている状態なので蓄電器Ｃ１には所定容量の電荷が蓄電されており、この蓄電された直流電源が制御電源端子Ｐ，Ｎに供給されている。この制御電源端子Ｐ，Ｎ間に接続された補助ｂ接点５２Ｚｂ１は、投入遮断用補助リレー５２Ｚが励磁状態になっているので開状態となっており、また、開閉器が投入状態になっているので開閉器補助ａ接点５２ａ１が閉状態となっている。
【００４３】
次に、電磁接触器遮断時は、停止用押釦スイッチ５ｂを引圧すると、自己保持されている投入遮断用補助リレー５２Ｚの励磁が解除され、この解除によって補助ｂ接点５２Ｚｂ１が閉状態となる。これによって、開閉器補助ａ接点５２ａ１を介して引き外しコイル５２Ｈに制御電源端子Ｐ，Ｎ間の制御電圧が印加されるので、引き外しコイル５２Ｈが励磁され、この励磁動作によって投入状態の開閉器が遮断状態となる。この遮断状態によって開閉器補助ａ接点５２ａ１が開状態となり、引き外しコイル５２Ｈの励磁が解除される。
【００４４】
一方、開閉器が投入状態の場合に、商用交流電源端子Ｒ，Ｔ間に供給されている商用交流電源が何らかの原因で停電したとする。この停電の場合でも制御電源端子Ｐ，Ｎ間には蓄電器Ｃ１に蓄電された電圧が供給状態となっている。
従って、停電によって、商用交流電源端子Ｒ，Ｔ間に接続され、それまで自己保持されていた投入遮断用補助リレー５２Ｚは、励磁が解除されるので、この解除によって補助ｂ接点５２Ｚｂ１が閉状態となる。これによって、開閉器補助ａ接点５２ａ１を介して引き外しコイル５２Ｈに制御電源端子Ｐ，Ｎ間の制御電圧が印加されるので、引き外しコイル５２Ｈが励磁され、この励磁動作によって投入状態の開閉器が遮断状態となる。この遮断状態によって開閉器補助ａ接点５２ａ１が開状態となり、引き外しコイル５２Ｈの励磁が解除される。
【００４５】
このように第４の実施の形態の電磁接触器の操作回路は、電磁接触器の制御電源が商用交流電源の場合に、停電等の原因で交流電源が遮断されても蓄電器Ｃ１に蓄電された電圧によって電磁接触器の開閉器を遮断させるようにした。
ここで、従来技術であれば、開閉器が投入状態で停電した場合、開閉器がその投入状態のままとなっており、停電復旧時にそのまま開閉器を介して電磁接触器に接続された電気機器に電源が供給され、機器が不要に動作して危険を招いたり、破損に至ったりする不具合があった。
しかし、本電磁接触器の操作回路では、停電時でも上記のように開閉器を遮断することができるので、先の不具合を解消することができる。また、上記第１の実施の形態と同様の効果を得ることもできる。
【００４６】
（第５の実施の形態）
図５は、本発明の第５の実施の形態に係る電磁接触器の操作回路の構成を示す図である。
図５に示す電磁接触器の操作回路の特徴は、図４に示した操作回路において、投入コイル５２Ｃを励磁及びこの励磁を解除する回路に、更に投入コイル５２Ｃの励磁を解除する回路を接続することによって、その励磁を２重に解除するようにしたことにある。
この２重に解除するために、図５に示すように、互いに直列接続した開閉器補助ａ接点５２ａ２及び投入コイル引き外し用リレー５２Ｙを、補助ａ接点５２Ｚａ２と開閉器補助ｂ接点ＬＳ間と、制御電源端子Ｎとの間に接続し、更に、開閉器補助ｂ接点ＬＳと開閉器補助ｂ接点５２ｂ１との間に、投入コイル引き外し用リレー５２Ｙの補助ｂ接点５２Ｙｂ１を接続して操作回路を構成した。
【００４７】
このような構成の第５の実施の形態による電磁接触器の操作回路の動作を説明する。
まず、電磁接触器投入時は、商用交流電源端子Ｒ，Ｔに交流電圧が供給されている状態で、始動用押釦スイッチ５ａを押圧すると、投入遮断用補助リレー５２Ｚが励磁動作し、この動作によって補助ａ接点５２Ｚａ１が閉状態となって自己保持する。
同時に、整流器Ｄ１で変換された直流電圧が印加されている補助ａ接点５２Ｚａ２も閉状態となって自己保持するので、開閉器補助ｂ接点ＬＳ、補助ｂ接点５２Ｙｂ１、開閉器補助ｂ接点５２ｂ１，５２ｂ２を介して制御電圧が投入コイル５２Ｃに印加され、これによって投入コイル５２Ｃが励磁され、この励磁動作によって開閉器が投入状態となる。
【００４８】
このように開閉器が投入状態となった直後、開閉器補助ｂ接点５２ｂ１，５２ｂ２が開状態となると共に、開閉器補助ａ接点５２ａ２が閉状態となり、この閉状態によって投入コイル引き外し用リレー５２Ｙに制御電圧が印加されて当該リレー５２Ｙが励磁される。この励磁によって補助ｂ接点５２Ｙｂ１が開状態となる。つまり、開閉器が投入状態となった直後、開閉器補助ｂ接点５２ｂ１，５２ｂ２及び補助ｂ接点５２Ｙｂ１が開状態となるので、投入コイル５２Ｃの励磁が解除される。この解除がなされても開閉器の投入状態は保持されたままである。
また、投入遮断用補助リレー５２Ｚが励磁状態になっているので補助ｂ接点５２Ｚｂ１が開状態となり、開閉器が投入状態になっているので開閉器補助ａ接点５２ａ１，５２ａ２が閉状態となっている。
【００４９】
次に、電磁接触器遮断時は、停止用押釦スイッチ５ｂを引圧すると、自己保持されている投入遮断用補助リレー５２Ｚの励磁が解除され、この解除によって補助ｂ接点５２Ｚｂ１が閉状態となる。これによって、開閉器補助ａ接点５２ａ１を介して引き外しコイル５２Ｈに制御電圧が印加されるので、引き外しコイル５２Ｈが励磁され、この励磁動作によって投入状態の開閉器が遮断状態となる。この遮断状態によって開閉器補助ａ接点５２ａ１，５２ａ２が開状態となり、引き外しコイル５２Ｈ及び投入コイル引き外し用リレー５２Ｙの励磁が解除される。
【００５０】
一方、開閉器が投入状態の場合に、商用交流電源が停電した場合でも制御電源端子Ｐ，Ｎ間には蓄電器Ｃ１に蓄電された電圧が供給状態となっている。
従って、停電によって、それまで自己保持されていた投入遮断用補助リレー５２Ｚは、励磁が解除されるので、この解除によって補助ａ接点５２Ｚａ２が開状態となって投入コイル５２Ｃの回路系統は制御電源端子Ｐ，Ｎから切り離される。
【００５１】
同時に、補助ｂ接点５２Ｚｂ１が閉状態となることによって、開閉器補助ａ接点５２ａ１を介して引き外しコイル５２Ｈに制御電源端子Ｐ，Ｎ間の制御電圧が印加されるので、引き外しコイル５２Ｈが励磁され、この励磁動作によって投入状態の開閉器が遮断状態となる。この遮断状態によって開閉器補助ａ接点５２ａ１が開状態となり、引き外しコイル５２Ｈの励磁が解除される。
【００５２】
このように第５の実施の形態の電磁接触器の操作回路は、上記第４の実施の形態の操作回路に、更に投入コイル５２Ｃの励磁を解除する回路を設けることによって、その励磁を２重に解除するようにしたことにある。これによって、上記第４の実施の形態と同様の効果を得ることができ、更に、例えば開閉器補助ｂ接点５２ｂ１，５２ｂ２が動作不良などの原因によって開状態とならない場合でも、補助ｂ接点５２Ｙｂ１が開状態となるので、投入コイル５２Ｃの励磁を確実に解除することができる。言い換えれば、投入コイル５２Ｃの励磁を解除する動作の信頼性を向上させることができる。
【００５３】
（第６の実施の形態）
図６は、本発明の第６の実施の形態に係る電磁接触器の操作回路の構成を示す図である。
図６に示す電磁接触器の操作回路の特徴は、図５に示した操作回路において、投入コイル５２Ｃの励磁を解除する回路を更に外部回路に設けることによって、その励磁を３重に解除するようにしたことにある。
この３重に解除するために、図６に示すように、外部回路において、制御電源端子Ｐ，Ｎ間に開閉器補助ａ接点５２ａ３と投入コイル引き外し用リレー５２Ｘを直列に接続し、また、補助ａ接点５２Ｚａ２と、開閉器補助ａ接点５２ａ２及び開閉器補助ｂ接点ＬＳの接続点との間に、投入コイル引き外し用リレー５２Ｘの補助ｂ接点５２Ｘｂ１を接続して操作回路を構成した。
【００５４】
このような構成の第６の実施の形態による電磁接触器の操作回路の動作を説明する。
まず、電磁接触器投入時は、商用交流電源端子Ｒ，Ｔに交流電圧が供給されている状態で、始動用押釦スイッチ５ａを押圧すると、投入遮断用補助リレー５２Ｚが励磁動作し、補助ａ接点５２Ｚａ１が閉状態となって自己保持する。
同時に、整流器Ｄ１で変換された直流電圧が印加されている補助ａ接点５２Ｚａ２も閉状態となって自己保持するので、補助ｂ接点５２Ｘｂ１、開閉器補助ｂ接点ＬＳ、補助ｂ接点５２Ｙｂ１、開閉器補助ｂ接点５２ｂ１，５２ｂ２を介して制御電圧が投入コイル５２Ｃに印加され、これによって投入コイル５２Ｃが励磁され、この励磁動作によって開閉器が投入状態となる。
【００５５】
このように開閉器が投入状態となった直後、開閉器補助ｂ接点５２ｂ１，５２ｂ２が開状態となると共に、開閉器補助ａ接点５２ａ２が閉状態となり、この閉状態によって投入コイル引き外し用リレー５２Ｙに制御電圧が印加されて当該リレー５２Ｙが励磁される。この励磁によって補助ｂ接点５２Ｙｂ１が開状態となる。
これと同時に、開閉器補助ａ接点５２ａ３が閉状態となり、この閉状態によって投入コイル引き外し用リレー５２Ｘに制御電圧が印加されて当該リレー５２Ｘが励磁される。この励磁によって補助ｂ接点５２Ｘｂ１が開状態となる。
【００５６】
つまり、開閉器が投入状態となった直後、開閉器補助ｂ接点５２ｂ１，５２ｂ２と、補助ｂ接点５２Ｙｂ１と、補助ｂ接点５２Ｘｂ１とが開状態となるので、投入コイル５２Ｃの励磁が解除される。この解除がなされても開閉器の投入状態は保持されたままである。
また、投入遮断用補助リレー５２Ｚが励磁状態になっているので補助ｂ接点５２Ｚｂ１が開状態となり、開閉器が投入状態になっているので開閉器補助ａ接点５２ａ１，５２ａ２，５２ａ３が閉状態となっている。
【００５７】
次に、電磁接触器遮断時は、停止用押釦スイッチ５ｂを引圧すると、自己保持されている投入遮断用補助リレー５２Ｚの励磁が解除され、この解除によって補助ｂ接点５２Ｚｂ１が閉状態となる。これによって、開閉器補助ａ接点５２ａ１を介して引き外しコイル５２Ｈに制御電圧が印加されるので、引き外しコイル５２Ｈが励磁され、この励磁動作によって投入状態の開閉器が遮断状態となる。この遮断状態によって開閉器補助ａ接点５２ａ１，５２ａ２，５２ａ３が開状態となり、引き外しコイル５２Ｈ、投入コイル引き外し用リレー５２Ｙ及び５２Ｘの励磁が解除される。
【００５８】
一方、開閉器が投入状態の場合に、商用交流電源が停電した場合でも制御電源端子Ｐ，Ｎ間には蓄電器Ｃ１に蓄電された電圧が供給状態となっている。
従って、停電によって、それまで自己保持されていた投入遮断用補助リレー５２Ｚは、励磁が解除されるので、この解除によって補助ａ接点５２Ｚａ２が開状態となって投入コイル５２Ｃの回路系統は制御電源端子Ｐ，Ｎから切り離される。
【００５９】
同時に、補助ｂ接点５２Ｚｂ１が閉状態となることによって、開閉器補助ａ接点５２ａ１を介して引き外しコイル５２Ｈに制御電源端子Ｐ，Ｎ間の制御電圧が印加されるので、引き外しコイル５２Ｈが励磁され、この励磁動作によって投入状態の開閉器が遮断状態となる。この遮断状態によって開閉器補助ａ接点５２ａ１が開状態となり、引き外しコイル５２Ｈの励磁が解除される。
【００６０】
このように第６の実施の形態の電磁接触器の操作回路は、上記第５の実施の形態の操作回路に、更に外部回路に投入コイル５２Ｃの励磁を解除する回路を設けることによって、その励磁を３重に解除するようにしたことにある。これによって、上記第５の実施の形態と同様の効果を得ることができ、更に、例えば内部回路における投入コイル５２Ｃの励磁解除用の回路が、動作不良などの原因によって開状態とならない場合でも、外部回路における補助ｂ接点５２Ｘｂ１が開状態となるので、投入コイル５２Ｃの励磁を確実に解除することができる。言い換えれば、投入コイル５２Ｃの励磁を解除する動作の信頼性をより向上させることができる。
【図面の簡単な説明】
【００６１】
【図１】本発明の第１の実施の形態に係る電磁接触器の操作回路の構成を示す回路図である。
【図２】本発明の第２の実施の形態に係る電磁接触器の操作回路の構成を示す回路図である。
【図３】本発明の第３の実施の形態に係る電磁接触器の操作回路の構成を示す回路図である。
【図４】本発明の第４の実施の形態に係る電磁接触器の操作回路の構成を示す回路図である。
【図５】本発明の第５の実施の形態に係る電磁接触器の操作回路の構成を示す回路図である。
【図６】本発明の第６の実施の形態に係る電磁接触器の操作回路の構成を示す回路図である。
【図７】従来の電磁接触器の常時励磁式操作回路の一例を示す回路図である。
【図８】従来の電磁接触器の機械ラッチ式操作回路の一例を示す回路図である。
【符号の説明】
【００６２】
５ａ  常開接点の始動用押釦スイッチ
５ｂ  常閉接点の停止用押釦スイッチ
５２Ｚ  投入遮断用補助リレー
５２Ｚａ１，５２Ｚａ２  投入遮断用補助リレーの補助ａ接点
５２Ｚｂ１，５２Ｚｂ２  投入遮断用補助リレーの補助ｂ接点
ＬＳ  開閉器補助ｂ接点
５２ｂ１，５２ｂ２  開閉器常閉接点
５２Ｃ  開閉器投入コイル
５２Ｈ  開閉器の引き外しコイル
５２ａ１，５２ａ２，５２ａ３  開閉器補助ａ接点
５２Ｙ  投入コイル引き外し用リレー
５２Ｙａ１  補助ａ接点
５２Ｙｂ１  投入コイル引き外し用リレーの補助ｂ接点
５２Ｘ  投入コイル引き外し用リレー
５２Ｘｂ１  投入コイル引き外し用リレーの補助ｂ接点
Ｄ１，Ｄ２  整流器
Ｃ１  蓄電器
Ｐ，Ｎ  制御電源端子
Ｒ，Ｔ  商用交流電源端子
【図１】
2006318705.tif 000003
【図２】
2006318705.tif 000004
【図３】
2006318705.tif 000005
【図４】
2006318705.tif 000006
【図５】
2006318705.tif 000007
【図６】
2006318705.tif 000008
【図７】
2006318705.tif 000009
【図８】
2006318705.tif 000010